(57)【特許請求の範囲】
【請求項１】
所定幅のスペースを介して対向配置され少なくとも一方が光透過性を有する一対の基板と、前記一対の基板のうち一方の基板の基板面に形成された複数の画素電極と、前記一対の基板のうち他方の基板の基板面に前記複数の画素電極に対向して形成された共通電極と、前記一対の基板間に封入された色及び極性が異なる２種類の帯電粒子を分散させてなる液状体と、前記画素電極と共通電極との間に前記帯電粒子を移動させる電位差を発生させる書込みパルスを生成する駆動回路とを備え、
前記駆動回路は、画面が変化しない固定表示では、画像形成時に同じ画像の書込みパルスを所定回数繰り返して印加し、画面が連続して切替えられる切替え表示では、各切替え画面での画像形成時に書込みパルスの最初の数パルスだけを印加して画像形成を終了し、第１画面から第２画面、及び第３画面に画面が連続して切替えられ、前記第２画面が前記切替え表示の終了直前の画面であり、前記第２画面から前記第３画面に切替わって切替え表示が終了するに際し、前記色の表示が、前記第１画面から前記第２画面、及び前記第３画面にかけて連続して切替わる画素については、前記第３画面において、前記第２画面にて印加された前記数パルスと同数の回数となる前記数パルスだけを印加して前記色の表示が切替えられ、前記第２画面において前記第１画面から前記色の表示の切替えがなく前記第３画面において前記第２画面から前記色の表示が切替わる画素については、前記固定表示と同じ所定回数の書き込みパルスが印加されることを特徴とする電気泳動表示装置。
【請求項２】
前記駆動回路は、前記書込みパルスを印加する前に、短時間に電圧の極性が交互に反転するシェイキングパルスを印加することを特徴とする請求項１記載の電気泳動表示装置。
【請求項３】
前記複数の画素電極、前記共通電極及び前記液状体で構成される複数画素の全体にシェイキングパルスを印加し、前記各画素を前記書込みパルスで順次走査することを特徴とする請求項２記載の電気泳動表示装置。
【請求項４】
前記複数の画素電極、前記共通電極及び前記液状体で構成される複数画素の表示部のうち書換えを行う画素に対してシェイキングパルスを印加し、前記各画素を前記書込みパルスで順次走査することを特徴とする請求項２記載の電気泳動表示装置。
【請求項５】
所定幅のスペースを介して対向配置され少なくとも一方が光透過性を有する一対の基板と、前記一対の基板のうち一方の基板の基板面に形成された複数の画素電極と、前記一対の基板のうち他方の基板の基板面に前記複数の画素電極に対向して形成された共通電極と、前記一対の基板間に封入された色及び極性が異なる２種類の帯電粒子を分散させてなる液状体と、前記画素電極と共通電極との間に前記帯電粒子を移動させる電位差を発生させる書込みパルスを生成する駆動回路とを備えた電気泳動表示装置の駆動方法において、
画面が変化しない固定表示では、画像形成時に同じ画像の書込みパルスを所定回数繰り返して印加し、画面が連続して切替えられる切替え表示では、各切替え画面での画像形成時に書込みパルスの最初の数パルスだけを印加して画像形成を終了し、第１画面から第２画面、及び第３画面に画面を連続して切替え、前記第２画面が前記切替え表示の終了直前の画面であり、前記第２画面から前記第３画面に切替わって切替え表示が終了するに際し、前記色の表示を、前記第１画面から前記第２画面、及び前記第３画面にかけて連続して切替える画素については、前記第３画面において、前記第２画面にて印加された前記数パルスと同数の回数となる前記数パルスだけを印加して前記色の表示を切替え、前記第２画面において前記第１画面から前記色の表示の切替えがなく前記第３画面において前記第２画面から前記色の表示を切替える画素については、前記固定表示と同じ所定回数の書き込みパルスを印加することを特徴とする電気泳動表示装置の駆動方法。
【発明の詳細な説明】
【技術分野】
【０００１】
本発明は、荷電粒子に電界を作用させて可逆的に視認状態を変化させる電気泳動表示装置及びその駆動方法に関する。
【背景技術】
【０００２】
近年、情報機器の発達に伴い、表示装置の低消費電力化、薄型化、フレキシブル化等の要求が増している。このような要求に応えた表示装置の一つとして電気泳動表示装置がある。電気泳動表示装置は、少なくとも一方が透明な２枚の基板がスペーサを介して対向配置され、一方の基板には画素電極がマトリクス状に配置され、他方の基板には共通電極が配置され、正電荷又は負電荷にそれぞれ帯電すると共に異なる色に着色された帯電粒子が分散媒中に分散された表示液が基板電極間に充填されて表示パネルが構成され、基板電極間に電界を作用させて所望の表示を得ようとするものである（例えば、特許文献１参照）。
【０００３】
電気泳動表示装置は、荷電粒子を移動させることにより画像を表示させるため、液晶に比べて画像を表示させるために必要な書き込み時間が長くなる傾向がある。電子ブック等のように高品位表示する場合は書き込み時間が長くなる傾向が顕著である一方、ページをスクロールしたり拡大縮小したりする場合は高速で画面を切り替える必要がある。このため、電気泳動表示装置に高速の画像切り替えが必要になる操作を行った操作者に対して画像切り替え速度が遅いことによる不快感を与える可能性があった。
【０００４】
そこで、電気泳動表示装置における高速の画像切り替えを実現する駆動方法が提案されている（例えば、特許文献２参照）。特許文献２記載の駆動方法は、画面表示変更の信号でリセットのみを行い、変更確定後に書き込みを行って画面表示を行うものである。
【先行技術文献】
【特許文献】
【０００５】
【特許文献１】米国特許第３６１２７５８号明細書
【特許文献２】特開２０１０−４５５２７号公報
【発明の概要】
【発明が解決しようとする課題】
【０００６】
しかしながら、上述した特許文献２記載の駆動方法は、画面の書き換え時間そのものは変更されないので、時間短縮の効果は少ないものであった。
【０００７】
本発明は、このような問題点に鑑みてなされたものであり、スクロールや拡大縮小といった画面操作時の表示画像の高速切り替えを実現すると共に、静止画には高品質の画像を表示することが可能な電気泳動表示装置及びその駆動方法を提供することを目的とする。
【課題を解決するための手段】
【０００８】
本発明の電気泳動表示装置は、所定幅のスペースを介して対向配置され少なくとも一方が光透過性を有する一対の基板と、前記一対の基板のうち一方の基板の基板面に形成された複数の画素電極と、前記一対の基板のうち他方の基板の基板面に前記複数の画素電極に対向して形成された共通電極と、前記一対の基板間に封入された色及び極性が異なる２種類の帯電粒子を分散させてなる液状体と、前記画素電極と共通電極との間に前記帯電粒子を移動させる電位差を発生させる書込みパルスを生成する駆動回路とを備え、前記駆動回路は、画面が変化しない固定表示では、画像形成時に同じ画像の書込みパルスを所定回数繰り返して印加し、画面が連続して切替えられる切替え表示では、各切替え画面での画像形成時に書込みパルスの最初の数パルスだけを印加して画像形成を終了し、第１画面から第２画面、及び第３画面に画面が連続して切替えられ、前記第２画面が前記切替え表示の終了直前の画面であり、前記第２画面から前記第３画面に切替わって切替え表示が終了するに際し、前記色の表示が、前記第１画面から前記第２画面、及び前記第３画面にかけて連続して切替わる画素については、前記第３画面において、前記第２画面にて印加された前記数パルスと同数の回数となる前記数パルスだけを印加して前記色の表示が切替えられ、前記第２画面において前記第１画面から前記色の表示の切替えがなく前記第３画面において前記第２画面から前記色の表示が切替わる画素については、前記固定表示と同じ所定回数の書き込みパルスが印加されることを特徴とする。
【０００９】
この構成により、画面が変化しない固定表示では、画像形成時に同じ画像の書込みパルスを所定回数繰り返して印加するので高品質（例えば、高コントラスト）の画像を実現でき、画面が連続して切替えられる切替え表示では、各切替え画面での画像形成時に書込みパルスの最初の数パルスだけを印加するので画質は多少に低下するが高速の画面切り替えが実現できる。
【００１０】
上記本発明の電気泳動表示装置において、前記駆動回路は、前記書込みパルスを印加する前に、短時間に電圧の極性が交互に反転するシェイキングパルスを印加しても良い。これにより、シェイキングパルスを印加することにより長時間放置されて大きな塊となった帯電粒子をほぐすことができ、その後に印加される書込みパルスにより容易に移動可能になる。
【００１１】
上記本発明の電気泳動表示装置において、前記複数の画素電極、前記共通電極及び前記液状体で構成される複数画素の全体にシェイキングパルスを印加し、前記各画素を前記書込みパルスで順次走査しても良い。
【００１２】
上記本発明の電気泳動表示装置において、前記複数の画素電極、前記共通電極及び前記液状体で構成される複数画素の表示部のうち書換えを行う画素に対してシェイキングパルスを印加し、前記各画素を前記書込みパルスで順次走査しても良い。
【００１３】
また、本発明の電気泳動表示装置の駆動方法は、所定幅のスペースを介して対向配置され少なくとも一方が光透過性を有する一対の基板と、前記一対の基板のうち一方の基板の基板面に形成された複数の画素電極と、前記一対の基板のうち他方の基板の基板面に前記複数の画素電極に対向して形成された共通電極と、前記一対の基板間に封入された色及び極性が異なる２種類の帯電粒子を分散させてなる液状体と、前記画素電極と共通電極との間に前記帯電粒子を移動させる電位差を発生させる書込みパルスを生成する駆動回路とを備えた電気泳動表示装置の駆動方法において、画面が変化しない固定表示では、画像形成時に同じ画像の書込みパルスを所定回数繰り返して印加し、画面が連続して切替えられる切替え表示では、各切替え画面での画像形成時に書込みパルスの最初の数パルスだけを印加して画像形成を終了し、第１画面から第２画面、及び第３画面に画面を連続して切替え、前記第２画面が前記切替え表示の終了直前の画面であり、前記第２画面から前記第３画面に切替わって切替え表示が終了するに際し、前記色の表示を、前記第１画面から前記第２画面、及び前記第３画面にかけて連続して切替える画素については、前記第３画面において、前記第２画面にて印加された前記数パルスと同数の回数となる前記数パルスだけを印加して前記色の表示を切替え、前記第２画面において前記第１画面から前記色の表示の切替えがなく前記第３画面において前記第２画面から前記色の表示を切替える画素については、前記固定表示と同じ所定回数の書き込みパルスを印加することを特徴とする。
【発明の効果】
【００１４】
本発明によれば、スクロールや拡大縮小といった画面操作時の表示画像の高速切り替えを実現すると共に、静止画には高品質の画像を表示することができる。
【図面の簡単な説明】
【００１５】
【図１】実施形態に係る電気泳動表示装置の全体構成を示すブロック図
【図２】実施形態にかかる電気泳動表示装置の画素の電気的な構成を示す等価回路図
【図３】実施形態にかかる電気泳動表示装置の表示部の部分断面図
【図４】実施形態にかかる電気泳動表示装置の表示を示す模式図
【図５】実施形態にかかる電気泳動表示装置で表示を行う場合の表示部の内部模式図
【図６】画面スクロールにより第１画面から第３画面に切り替る過程での書込みパルスの遷移を表した模式図
【図７】実施形態において、黒色表示が移動する場合の各画素にかかる電圧波形のオシロスコープによる測定結果を示す図
【発明を実施するための形態】
【００１６】
以下、本発明の実施の形態について添付図面を参照して詳細に説明する。
図１は本発明の一実施の形態に係る電気泳動表示装置の全体構成図である。電気泳動表示装置１は、マトリクス状に画素配置された表示部２と、表示部２に画像信号を供給するデータ線駆動回路３と、表示部２に走査信号を供給する走査線駆動回路４と、表示部２の各画素に共通電位を与える共通電位供給回路５と、装置全体の動作を制御するコントローラ６とを備えて構成される。データ線駆動回路３、走査線駆動回路４、共通電位供給回路５及びコントローラ６から駆動回路を構成する。
【００１７】
電気泳動表示装置１には、表示画像に対する画像操作の要求がユーザインタフェース部７を介して入力される。画像操作には、表示部２上での画像のスクロール、画像の拡大縮小、高速又は任意速度で表示ページを切り替えるページめくりが含まれる。ユーザインタフェース部７は、ユーザによる画像操作内容を画像操作信号に変換してコントローラ６へ供給する。本明細書では、スクロール、拡大縮小、ページめくりのように画面が連続的に切り替わる動作を画面切替えと呼ぶこととし、画面切替え時の画像操作信号のことを画面切替え信号と呼ぶこととする。画面切替えの開始から終了までの間、画面切替え信号が入力される。
【００１８】
表示部２には、データ線駆動回路３から行方向（Ｘ方向）に並列に伸びるｎ本のデータ線Ｘ１からＸｎが延在すると共に、これらのデータ線Ｘ１からＸｎと交差するように走査線駆動回路４から列方向（Ｙ方向）に並列に伸びるｍ本の走査線Ｙ１からＹｍが延在している。表示部２において、データ線（Ｘ１、Ｘ２、…Ｘｎ）と走査線（Ｙ１、Ｙ２、…Ｙｍ）とが交差する各交差部に画素となる画素２０がそれぞれ形成されている。このように、表示部２にはｍ×ｎのマトリクス状に複数の画素２０が配置されている。
【００１９】
データ線駆動回路３は、コントローラ６から供給されるタイミング信号に基づいて、データ線Ｘ１、Ｘ２、…Ｘｎに画像信号を供給する。画像信号は、高電位VH(例えば60V)又は低電位VL(例えば0V)の２値的な電位を取る。なお本実施形態では、白色が表示されるべき画素２０には低電位VLの電位が供給され、黒色が表示されるべき画素２０に対しては高電位VHの画像信号が供給される。
【００２０】
走査線駆動回路４は、コントローラ６から供給されるタイミング信号に基づいて、走査線Ｙ１、Ｙ２、…Ｙｍの各々に走査信号を順次供給する。駆動対象となる画素２０に対して走査信号が供給される。
【００２１】
なお、表示部２を構成する各画素２０には、共通電位供給回路５から共通電位線１１を介して共通電位Vcomが印加されている。共通電位Vcomは一定の電位であってもよいし、例えば書き込む階調に応じて変化しても良い。本実施形態では、後述するように、画素２０に共通電位Vcomと同一の電位が供給される。これは、例えば共通電位供給回路５から出力される共通電位Vcomが高電位VH又は低電位VLと同一の電位とされることで、実現されてもよいし、データ線駆動回路３から高電位VH及び低電位VLに加えて、共通電位Vcomと同一である他の電位が供給されることで実現されても良い。
【００２２】
コントローラ６は、クロック信号、スタートパルス等のタイミング信号を、データ線駆動回路３、走査線駆動回路４及び共通電位供給回路５に供給して各回路の動作を制御する。具体的にコントローラ６は、画面切替え前は、画素２０に対して同じ画像の書き込みパルスを所定回数だけ繰り返し印加して高コントラスト表示し、繰り返し中に画面切替え信号が入力した場合は、画面切替え動作中は繰り返し回数を少なくして高速切り替えを優先し、画面切替え動作の終了後は再び所定回数の書込みパルスを印加して高コントラスト表示させるように駆動制御する。
【００２３】
図２は、画素２０の電気的な構成を示す等価回路図である。表示部２にマトリクス状に配置された各画素２０は同一構成であるので、画素２０を構成する各部には共通の符号を付して説明する。
【００２４】
画素２０は、画素電極２１と、共通電極２２と、電気泳動素子２３と、画素スイッチング用トランジスタ２４と、保持容量２５とを備えている。画素スイッチング用トランジスタ２４は、例えばN型トランジスタで構成されている。画素スイッチング用トランジスタ２４のゲートは対応する行の走査線（Ｙ１、Ｙ２、…Ｙｍ）に電気的に接続されている。また、画素スイッチング用トランジスタ２４のソースは対応する列のデータ線（Ｘ１、Ｘ２、…Ｘｍ）に電気的に接続されている。画素スイッチング用トランジスタ２４のドレインは画素電極２１及び保持容量２５に電気的に接続されている。画素スイッチング用トランジスタ２４は、データ線駆動回路３からデータ線Ｘ１、Ｘ２、…Ｘｍを介して供給される画像信号を、走査線駆動回路４から対応する行の走査線（Ｙ１、Ｙ２、…Ｙｍ）を介してパルス的に供給される走査信号に応じたタイミングで、画素電極２１及び保持容量２５に出力する。
【００２５】
画素電極２１には、データ線駆動回路３からデータ線Ｘ１、Ｘ２、…Ｘｍ及び画素スイッチング用トランジスタ２４を介して、画像信号が供給される。画素電極２１は、電気泳動素子２３を介して共通電極２２と互いに対向するように配置されている。共通電極２２には、共通電位Vcomが供給される共通電位線１１に電気的に接続されている。
【００２６】
電気泳動素子２３は、複数の電気泳動粒子を含んでなる液体であり、電極間に封止材(図示せず)にて漏れ出さないように保持されている。電気泳動粒子は、後述する正に帯電した黒色粒子及び負に帯電した白色粒子である。
【００２７】
保持容量２５は、誘電体膜を介して対向配置された一対の電極からなり、一方の電極が画素電極２１及び画素スイッチング用トランジスタ２４に電気的に接続され、他方の電極が共通電位線１１に電気的に接続されている。保持容量２５によって画像信号を一定期間だけ維持することができる。
【００２８】
ここで、電気泳動表示装置１の表示部２の具体的な構成について説明する。
図３は電気泳動表示装置１における表示部２の部分断面図である。表示部２は、素子基板２８と光透過性の対向基板２９とが不図示のスペーサを介して対向配置され、基板間に電気泳動素子２３が封入される構成となっている。なお、本実施形態では、対向基板２９側に画像を表示することを前提として説明する。
【００２９】
素子基板２８は、例えばガラスやプラスチックからなる基板である。素子基板２８上には、ここでは図示を省略するが、図２を参照して上述した画素スイッチング用トランジスタ２４、保持容量２５、走査線（Ｙ、Ｙ２、…Ｙｍのいずれか１つ）、データ線（Ｘ１、Ｘ２、…Ｘｎのいずれか１つ）、共通電位線１１等が作り込まれた積層構造が形成されている。この積層構造の上層側に複数の画素電極２１がマトリックス状に設けられている。
【００３０】
対向基板２９は、例えばガラスやプラスチック等からなる光透過性の基板である。対向基板２９における素子基板２８との対向面上には、共通電極２２が複数の画素電極２１と対向して形成されている。共通電極２２は、例えばマグネシウム銀(MgAg)、インジウム・スズ酸化物(ITO)、インジウム・亜鉛酸化物(IZO)等の透明導電材料から形成されている。
【００３１】
電気泳動素子２３は、正に帯電した黒色粒子８３、および負に帯電した白色粒子８２と、この電気泳動粒子８２および８３を分散させる分散媒８１とからなる電気泳動表示用液８０が封入されている。また対向基板２９と素子基板２８との間には、基板間の間隙を規定値に保つためのスペーサがあり、基板の端面には間隙を封止するための封止材が設けられているが、この図においては図示していない。
【００３２】
それぞれの電気泳動素子２３では、画素電極２１と共通電極２２との間に、相対的に共通電極２２の電位が高くなるように電圧が印加された場合、正に帯電された黒色粒子８３はクーロン力によって画素電極２１側に引き寄せられると共に、負に帯電された白色粒子８２はクーロン力によって共通電極２２側に引き寄せられる。この結果、表示面側(即ち、共通電極２２側)には白色粒子８２が集まることになり、表示部２の表示面にはこの白色粒子８２の色(即ち、白)が表示されることになる。逆に、画素電極２１と共通電極２２との間に、相対的に画素電極２１の電位が高くなるように電圧が印加された場合には、負に帯電された白色粒子８２がクーロン力によって画素電極２１側に引き寄せられると共に、正に帯電された黒色粒子８３はクーロン力によって共通電極２２側に引き寄せられる。この結果、表示面側には黒色粒子８３が集まることになり、表示部２の表示面にはこの黒色粒子８３の色(即ち、黒色)が表示されることとなる。
【００３３】
なお、白色粒子８２、黒色粒子８３に用いる顔料を、例えば赤色、緑色、青色等の顔料に代えることによって、赤色、緑色、青色等を表示することができる。
【００３４】
次に、以上のように構成された電気泳動表示装置１に好適な駆動方法について説明する。説明の簡素化のため、表示部２は、図４に示す２行２列の４画素Ｐ１からＰ４の画素配置であるものとして説明する。
【００３５】
通常の画面表示のための駆動方法を説明する。スクロール、拡大縮小、ページめくり等が行われない画面表示のことを通常の画面表示というものとする。
【００３６】
通常の画面表示では、表示部２の全体画素Ｐ１からＰ４に対して短時間に電圧の極性が交互に反転するシェイキングパルスを印加し、次に画像の書き込みパルスを所定回数だけ繰り返し印加する。このように、書き込みパルスの印加に先立ってシェイキングパルスを印加することにより、長時間放置されて大きな塊となった白色粒子８２及び黒色粒子８３を解放する（ほぐす）ことができる。また、画像の書き込みパルスを繰り返し印加することで、高いコントラストを実現できる。
【００３７】
シェイキングパルスによる駆動は以下のように行われる。まず、すべてのデータ線Ｘ１，Ｘ２に高電位VH、共通電位線１１に低電位VLを印加し、すべての走査線Ｙ１，Ｙ２を所定時間(例えば、10m秒)選択し、すべてのデータ線Ｘ１，Ｘ２と共通電位線１１の電圧極性を逆にした後、再度所定時間すべての走査線Ｙ１，Ｙ２を所定時間選択することを所定回数(例えば、１０回)繰り返すことにより実現できる。
【００３８】
書込みパルスによる駆動は以下のように行われる。図４に示すように、１行１列目の画素Ｐ１のみ黒色表示とし、他の画素Ｐ２〜Ｐ４は白色表示にする場合について説明する。
【００３９】
まず、黒色表示パルスを１パルス印加する。これは、図５（ａ）に示すように、共通電極線１１及びデータ線Ｘ２に低電位VL、データ線Ｘ１に高電位VHを印加した後所定時間走査線Ｙ１を選択し、共通電極線１１、データ線Ｘ１、及びＸ２に低電位VLを印加して走査線Ｙ２を選択することで実現できる。走査線の選択時間は、例えば0.1m秒前後である。
【００４０】
次に、白色表示パルスを１パルス印加する。これは、図５（ｂ）に示すように、共通電極線１１及びデータ線Ｘ１に高電位VH、データ線Ｘ２に低電位VLを印加して所定時間走査線Ｙ１を選択し、次に共通電極線１１に高電位VH、データ線Ｘ１及びＸ２に低電位VLを印加して所定時間走査線Ｙ２を選択することで実現できる。
【００４１】
このような１パルスずつの黒色表示パルスと白色表示パルスを１組として、これを所定回数(例えば、３０回)繰り返すことにより、高コントラストの表示が見た目に自然に表示される。
【００４２】
なお、本実施形態においては、所詮コモン振りと呼ばれる方法で電圧の印加を行っているが、共通電極線１１を共通電位Vcomとしてデータ線には相対的に電位差をつける方法でも、当然可能である。
【００４３】
次に、通常の画面表示をしている途中から画面切替え信号が入力した場合について説明する。画面切替え信号が入力している間は、画面が連続して切替えられる切替え表示を行う。ここで、画面操作の一例としてスクロールに対応した切替え表示を説明するが、拡大縮小やページめくり等の画像操作であっても同様の駆動方法を適用可能である。
【００４４】
通常の画面表示では、上記した通りシェイキングパルス（必要な場合）と書込みパルスの印加が所定回数繰り返されるが、これらパルスの繰り返し途中で画面切替え信号が入力した場合は、少なくとも書込みパルスは最初の数パルスのみ印加して現在の画面を表示する。そして画面切替え信号の入力が無くなって切替えが終了すれば再び所定回数書込みパルスを印加する。
【００４５】
図６は、画面スクロールにより第１画面から第３画面に切り替る過程での書込みパルスの遷移を表した模式図である。第１ステップでは画面スクロール開始後の第１画面の書込みパルスが示されている。第１画面は、第１画素が黒色表示であり、第２、第３画素が白色表示であり、直前の表示画面から第１画素のみが白色表示から黒色表示へ切り替わる。通常の画面表示であれば第１画素に黒色表示パルスを所定回数(例えば、３０回)繰り返し印加するところ、画面スクロール期間中は最初の数パルス（同図には２パルスが例示されている）だけを印加する。第２ステップでは、第１画面から第２画面に切り替わるが、第１画素が黒色表示から白色表示へ切り替わり、第２画素が白色表示から黒色表示へ切り替わる。第２ステップにおいても画面スクロール期間中であるので、第１画素に対して白色表示パルスを所定回数（３０回）のうちの最初の２回だけ印加し、第２画素に対して黒色表示パルスを所定回数（３０回）のうちの最初の２回だけ印加する。第３ステップでは、第２画面から第３画面に切り替わるが、第２画素が黒色表示から白色表示へ切り替わり、第３画素が白色表示から黒色表示へ切り替わる。また、画面スクロールが停止される。このため、白色表示から黒色表示へ切り替わる第３画素に対しては通常の画面表示と同一回数（３０回）で黒色表示パルスの印加を繰り返す。スクロール中の直前画面（第２画面）で少数パルス（２回）にて黒色表示されている第２画素に対しては、白色表示パルスを黒色表示パルスの書込み時と同数の回数となる２パルスだけ印加して黒色表示から白色表示へ切替える。
【００４６】
画面スクロールの途中で表示される各画面（第１画面及び第２画面）の表示時間は、例えば0.2秒から0.3秒程度である。スクロール中に切り替わる各画面（第１画面及び第２画面）の書込みパルス数の印加回数を最初の数パルス（２回）に減少させているが、少数パルスでは当然高品位(高コントラストと言い換えることもできる)の表示ができないが、スクロール時は文字が認識できる程度であれば低コントラスト表示で十分である。
【００４７】
図７は黒色表示が移動する場合の第１画素及び第２画素にかかる電圧波形のオシロスコープによる測定結果を示すパルス波形図である。画面スクロールの過程で、第１画素及び第２画素に印加するシェイキングパルス及び書込みパルスの具体例を示している。
【００４８】
第１ステップでは第１画面における第１画素にシェイキングパルスを１０パルス印加した後、黒色表示パルスを２パルス印加する一方、第２画素に対してシェイキングパルスを１０パルス印加した後、白色表示パルスを２パルス印加している。第２ステップでは第２画面に切り替えられ第１画素にシェイキングパルスを１０パルス印加した後、白色表示パルスを２パルス印加する一方、第２画素に対してシェイキングパルスを１０パルス印加した後、黒色表示パルスを２パルス印加している。すなわち、図６に模式的に示す第１ステップ及び第２ステップに対応した駆動内容を示している。シェイキングパルスの印加は必須ではないが、書き込みパルスの繰り返し回数が削減されるスクロール時の画質を改善する効果が期待できる。
【００４９】
発明者の検証によれば、スクロール時における書き込みパルスの繰り返し回数は２回が最良であったが、この回数は表示デバイスの仕様やアプリケーションの種類により最適値が適宜変更される。
【００５０】
このように、本実施の形態は、画面のスクロールキーが押された場合を想定すると、スクロールキーが押されて画面切替え信号が入力している間は、書込みパルスは最初の数パルスのみで次々に画面を変更し、スクロールキーを離すと画面の変更は停止し、停止後に所定回数書込みパルスが印加され、固定表示は高コントラストの高品位表示となる。
【００５１】
以上の説明では、表示部２の全体を書換え対象にしていたが、本発明は画面の一部のみを書き換え対象とする部分書換えにも対応できる。以下、部分書換え時の駆動方法について説明する。
【００５２】
まず、全画面を白色表示にする。このため、共通電極線１１に高電位VH、データ線Ｘ１，Ｘ２に低電位VLを印加する。このとき、走査線Ｙ１，Ｙ２は同時に選択しても良く、順次に選択しても良い。また、事前にシェイキングパルスを上記実施形態に述べた方法で印加しても良い。
【００５３】
上記実施形態と同様に１行１列目のみを黒色表示、他は白色表示とする場合、まずシェイキングパルスが必要とされる場合は、１行１列目のみにシェイキングパルスを印加する。これは、１行１列目のみを白色表示、さらに黒色表示と１走査ごとに繰り返し、さらにこれを所定回数繰り返すことで実現する。さらに１行１列目に黒色印加パルスを所定回数印加すればよい。この場合は、すでに白色表示が行われているので、黒色印加パルスと白色印加パルスを交互に繰り返す必要はなく、黒色表示にしたい部分にのみ黒色印加パルスを印加すればよい。
【００５４】
次に、書込み信号の途中で画面切替え信号が入力した場合、上記実施形態と同様に、シェイキングパルス及び黒色表示パルスのうち最初の２パルスのみを固定とし、以降に画面切替え信号を入力可能とすればよい。このようにすることにより上記実施形態と同様、画面変更時は低品位表示で高速に画面を移動させ、固定表示には高品位画面とすることが可能となる。
【符号の説明】
【００５５】
１  電気泳動表示装置
２  表示部
３  データ線駆動回路
４  走査線駆動回路
５  共通電位供給回路
６  コントローラ
７  ユーザインタフェース部
１１  共通電位線
２０  画素
２１  画素電極
２２  共通電極
２３  電気泳動素子
２４  画素スイッチング用トランジスタ
２５  保持容量
２８  素子基板
２９  対向基板
８１  分散媒
８２  白色粒子
８３  黒色粒子
【図１】
0005512409.tif 000002
【図２】
0005512409.tif 000003
【図３】
0005512409.tif 000004
【図４】
0005512409.tif 000005
【図５】
0005512409.tif 000006
【図６】
0005512409.tif 000007
【図７】
0005512409.tif 000008